(57)【要約】【課題】  農業用ハウスの害虫を効果的に駆除することのできる温水燃焼ガス燻煙供給設備を提供する。【解決手段】  廃材Ｃまたは廃材Ｃと害虫駆除成分を含む殺虫材料Ｐを燃焼させ、燃焼ガスＧと温水Ｗを生成する多用途炉１０と、多用途炉１０で生成した燃焼ガスＧを、農作物を栽培する農業用ハウスＨに害虫駆除のために供給する燃焼ガス供給装置２０と、多用途炉１０で生成した温水Ｗを、農業用ハウスＨに加温のために供給する温水供給装置３０と、多用途炉１０に隣接して設けられた燻製室４０と、開閉手段５２を備え、多用途炉１０で生成した燻煙Ｅを燻製室４０に供給する燻煙供給装置５０とで構成する。【選択図】      図１
2015146821.tif 000002
【特許請求の範囲】
【請求項１】
可燃性植物チップよりなる廃材（Ｃ）と除虫菊等の害虫駆除成分及び必要に応じ更にハーブ等の芳香成分を含む殺虫材料（Ｐ）を燃焼させて燃焼ガス（Ｇ）を生成する多用途炉（１０）と、該多用途炉で生成した燃焼ガスを，農作物を栽培する農業用ハウス（Ｈ）に害虫駆除のために供給する燃焼ガス供給装置（２０）と、を少なくとも備えることを特徴とする温水燃焼ガス燻煙供給設備。
【請求項２】
可燃性植物チップよりなる廃材（Ｃ）と除虫菊等の害虫駆除成分及び必要に応じ更にハーブ等の芳香成分を含む殺虫材料（Ｐ）を燃焼させて、燃焼ガス（Ｇ）を生成する多用途炉（１０）と、該多用途炉で生成した燃焼ガスを，農作物を栽培する農業用ハウス（Ｈ）に害虫駆除のために供給する燃焼ガス供給装置（２０）と、前記多用途炉に隣接して設けられた燻製室（４０）と、開閉手段（５２）を備え且つ前記多用途炉で生成した燃焼ガスを，燻煙として前記燻製室に自在に供給する燻煙供給装置（５０）と、を備えた温水燃焼ガス燻煙供給設備。
【請求項３】
可燃性植物チップよりなる廃材（Ｃ）と除虫菊等の害虫駆除成分及び必要に応じ更にハーブ等の芳香成分を含む殺虫材料（Ｐ）を，燃焼させて、燃焼ガス（Ｇ）と，温水（Ｗ）を，生成する多用途炉（１０）と、前記多用途炉で生成した燃焼ガスを，農作物を栽培する農業用ハウス（Ｈ）に害虫駆除のために供給する燃焼ガス供給装置（２０）と、前記多用途炉で生成した温水を，前記農業用ハウスに加温のために供給する温水供給装置（３０）と、前記多用途炉に隣接して設けられた燻製室（４０）と，開閉手段（５２）を備え且つ前記多用途炉で生成した燻煙（Ｅ）を前記燻製室に供給する燻煙供給装置（５０）と、を備えた温水燃焼ガス燻煙供給設備。
【発明の詳細な説明】
【技術分野】
【０００１】
本発明は、農業用ハウスに加温のための温水と害虫駆除のための燃焼ガスを供給すると共に、燻製室に燻製製品を製造するための燻煙を供給することのできる温水燃焼ガス燻煙供給設備に関するものである。
【背景技術】
【０００２】
野菜や果物などの農産物を温暖な環境で栽培するために農業用ハウス（例えば、ビニールハウス）が多く使用されている。この農業用ハウスを使用することによって、農産物を、年間を通じて効率的に栽培することが可能となっている。また、燃焼炉の熱を農業用ハウスに供給することも考えられるが、通常、従来の燃焼炉（例えば、特許文献１参照）はその目的に添う構成とはなっていない。
【先行技術文献】
【特許文献】
【０００３】
【特許文献１】特開２００５−１８０８９１号公報
【発明の概要】
【発明が解決しようとする課題】
【０００４】
上記した農業用ハウスの内部は温暖であるため農作物の栽培には適しているが、農作物に悪影響を与える害虫が発生し易く、その駆除に多大な労力を必要としている。
【０００５】
本発明はこうした問題に鑑み創案されたもので、農業用ハウスを加温すると共に、害虫を効果的に駆除することのできる設備を提供することを課題とする。同時に、燻製製品の製造にも使用することのできる優れた設備を提供することも課題とする。
【課題を解決するための手段】
【０００６】
図１を参照して説明する。請求項１に記載の温水燃焼ガス燻煙供給設備１は、可燃性植物チップよりなる廃材Ｃと除虫菊等の害虫駆除成分及び必要に応じ更にハーブ等の芳香成分を含む殺虫材料Ｐを燃焼させて燃焼ガスＧを生成する多用途炉１０と、該多用途炉１０で生成した燃焼ガスＧを、農作物を栽培する農業用ハウスＨに害虫駆除のために供給する燃焼ガス供給装置２０との二つの装置と、を少なくとも備えている。
【０００７】
請求項２に記載の温水燃焼ガス燻煙供給設備１は、可燃性植物チップよりなる廃材Ｃと除虫菊等の害虫駆除成分及び必要に応じ更にハーブ等の芳香成分を含む殺虫材料Ｐを燃焼させて燃焼ガスＧを生成する多用途炉１０と、該多用途炉１０で生成した燃焼ガスＧを、農作物を栽培する農業用ハウスＨに害虫駆除のために供給する燃焼ガス供給装置２０と、前記多用途炉１０に隣接して設けられた燻製室４０と、開閉手段５２を備え且つ前記多用途炉１０で生成した燻煙Ｅを前記燻製室４０に自在に供給する燻煙供給装置５０とを備えている。
【０００８】
請求項３に記載の温水燃焼ガス燻煙供給設備１は、可燃性植物チップよりなる廃材Ｃと除虫菊等の害虫駆除成分及び必要に応じ更にハーブ等の芳香成分を含む殺虫材料Ｐとを燃焼させて燃焼ガスＧを生成する多用途炉１０と、該多用途炉１０で生成した燃焼ガスＧを、農作物を栽培する農業用ハウスＨに害虫駆除のために供給する燃焼ガス供給装置２０と、前記多用途炉１０で生成した温水Ｗを、前記農業用ハウスＨに加温のために供給する温水供給装置３０と、前記多用途炉１０に隣接して設けられた燻製室４０と、開閉手段５２を備え且つ前記多用途炉１０で生成した燻煙Ｅを前記燻製室４０に供給する燻煙供給装置５０とを備えている。
【発明の効果】
【０００９】
請求項１に記載の温水燃焼ガス燻煙供給設備１は、多用途炉１０で除虫菊等の害虫駆除成分及び必要に応じ更に芳香成分を含む殺虫材料Ｐを燃焼させて生成した燃焼ガスＧを、燃焼ガス供給装置２０によって農業用ハウスＨに供給するので、その燃焼ガスＧによって廉価かつ効率的に害虫を駆除することができる。特に、害虫駆除成分を含む殺虫材料Pを燃焼させた場合にその効果が顕著である。
【００１０】
請求項２に記載の温水燃焼ガス燻煙供給設備１は、請求項１に記載の発明と同様に、燃焼ガス供給装置２０によって農業用ハウスＨに供給された燃焼ガスＧによって廉価かつ効率的に害虫を駆除することができる。
【００１１】
また、多用途炉１０に隣接して燻製室４０を設け、この燻製室４０に燻煙供給装置５０によって燻煙Eを供給することができるので、当該燻製室４０であらゆる燻製製品Ｆを製造することができる。なお、この場合は、燻煙材料Ｄのみを燃焼させることもある。
【００１２】
請求項３に記載の温水燃焼ガス燻煙供給設備１は、請求項１および２に記載の発明と同様の効果を発揮する。また、多用途炉１０で生成した温水Ｗを、温水供給装置３０によって農業用ハウスＨに供給するので、当該ハウスＨ内を農産物の栽培に適した温度に維持することができる。
【００１３】
なお、廃材Ｃと殺虫材料Ｐを燃焼させる場合は、燻煙供給装置５０の開閉手段５２を閉状態として、燃焼ガスＧを農業用ハウスＨのみに供給する。
【図面の簡単な説明】
【００１４】
【図１】本発明係る温水燃焼ガス燻煙供給設備の実施形態を示す概略側面図である。
【発明を実施するための形態】
【００１５】
本発明に係る温水燃焼ガス燻煙供給設備１の一実施形態を、図１に示す。この供給設備１は、多用途炉１０、燃焼ガス供給装置２０、温水供給装置３０、燻製室４０および燻煙供給装置５０を備える。
【００１６】
多用途炉１０は、間伐材を小さく切断したチップ等の可燃植物チップよりなる廃材Ｃと除虫菊等の害虫駆除成分と更に必要に応じやハーブ等の芳香成分を含む殺虫材料Ｐを燃焼させ、燃焼ガスＧと温水Ｗを生成する。なお、本実施形態では、廃材Ｃとして廃植物よりなる木材チップを使用し、殺虫材料として除虫菊を使用し、芳香材としてハーブを使用している。燃焼室１１の上端には煙突１４を、煙突には切換弁１５を設けている。また、この多用途炉１０の下端部にはロストル（火格子）１２を設け、その直上に燃焼室１１を設けている。この燃焼室１１に廃材Ｃと害虫駆除及び更に必要に応じ芳香成分を含む殺虫材料Ｐを装入して燃焼させる。
【００１７】
また、多用途炉１０の上部で煙突１４の周囲には水槽１３を設けている。この水槽１３に水を蓄えて燃焼室１１で燃焼させた廃材Ｃと殺虫材料Ｐとで加熱して温水Ｗを生成する。
【００１８】
燃焼ガス供給装置２０は、多用途炉１０で生成した燃焼ガスＧを、農作物を栽培する農業用ハウス（ビニールハウス）Ｈに供給して害虫を駆除する。この燃焼ガス供給装置２０は送気管２１と排気管２６を備える。送気管２１は、その上流側端部が煙突１４の上部に連通して設けられ、下流側部分が農業用ハウス（ビニールハウス）Ｈの下部のほぼ全域に水平方向に沿って配置される。送気管２１には、その上流側に気体ポンプ２４が設けられ、この気体ポンプ２４によって燃焼ガスＧを上流から下流に移動させる。
【００１９】
また、送気管２１には一つまたは複数の吹出孔２２が穿設され、燃焼ガスＧがこの吹出孔２２から農業用ハウスＨに供給される。吹出孔２２には燃焼ガスＧの供給量を調節することのできる調節弁２３を設けることができる。なお、送気管２１の上流側端部にダンパー２５を設けて、自在に、燃焼ガスＧの供給を停止し、あるいはその供給量を調整することができる。
【００２０】
排気管２６は、農業用ハウスＨの上部に設けられ、一つまたは複数の吸込孔２７を有し、送気管２１から供給された燃焼ガスＧを、この吸込孔２７で吸い込んで外部に排出する。この排気管２６には排気ファン２９を設けることができる。また、吸込孔２７に調整弁２８を設けて、燃焼ガスＧの吸込量（排出量）を調整することもできる。
【００２１】
温水供給装置３０は略Ｕ字状の送湯管３１を備え、その上流側端部（Ｕ字状部分）が水槽１３に連通し、下流側部分が農業用ハウスＨの底部の全域に水平に配置されている。水槽１３の温水Ｗがこの送湯管３１を循環し、農業用ハウスＨを加温する。温水Ｗの循環は、送湯管３１に設けられた液体ポンプ３２によって行うことができる。
【００２２】
燻製室４０は、多用途炉１０に隣接して設けられる。この燻製室４０には、燻煙が自在に出入りできる構造の燻製容器４１が取り出し自在に装入される。この燻製容器４１の上端部には吊下げ棒４２が設けられ、この吊下げ棒４２に燻製処理に供される燻製製品Ｆが吊り下げられる。また、燻製室４０の上端部には、燻煙を外部に排出するための排気筒４３が設けられている。
【００２３】
燻煙供給装置５０は、多用途炉１０の燃焼室１１と燻製室４０とを連通する連通部５１を備え、この連通部５１を介して多用途炉１０の燻煙材料Ｄで生成した燻煙Ｅを燻製室４０に供給する。連通部５１には開閉手段（例えば、ダンパー）を設けており、これにより、多用途炉１０で殺虫材料Ｐを燃焼させる際には閉状態とし、燃焼ガスＧが燻製室４０に侵入するのを阻止する。
【００２４】
本実施形態に係る温水燃焼ガス燻煙供給設備１は、次のように使用することができる。最初に、農業用ハウスＨの害虫を駆除すると共に、当該ハウスＨを加温する場合（燻製室４０を使用しない場合）について説明する。まず、ダンパー２５を開き、切換弁１５を閉じ且つ水槽１３に水を蓄えた状態で、多用途炉１０の燃焼室１１に廃材Ｃと害虫駆除成分及び必要に応じ更にハーブ等の芳香成分を含む殺虫材料Ｐを投入し燃焼させる。
【００２５】
次に、送気管２１に設けた気体ポンプ２４を稼働して、燃焼によって生成された燃焼ガスＧを下流側に送り込み、吹出孔２２を通して農業用ハウスＨに供給する。この燃焼ガスＧには殺虫材料Ｐの害虫駆除成分が含まれているので、害虫を効果的に駆除することができる。
【００２６】
なお、農業用ハウスＨに充満した燃焼ガスＧは、排気管２６から外部に排出する。この際、排気管２６に設けた排気ファン２９の回転数や調整弁２８の開度を適宜調整することによって、燃焼ガスＧの排気量を自在に調節して、農業用ハウスＨに残留する燃焼ガスＧの量を自在に調整することができる。これにより、害虫の駆除をさらに効果的に行うことができる。
【００２７】
一方、水槽１３に蓄えた水が加熱されて温水Ｗとなった状態で、液体ポンプ３２を稼働し、その温水Ｗを送湯管３１に供給して当該送湯管３１と水槽１３との間を連続的に循環させる。これにより、温水Ｗは送湯管３１を介してその熱を農業用ハウスＨの空気に供給し、当該ハウスＨ内の温度を農作物の栽培に適した温度まで上昇させる。その結果、農作物の生育を促すことができ、より効率的な栽培が可能となる。
【００２８】
次に、燻製室４０を使用する場合について説明する。切替弁１５及びダンパー２５を全開状態にして多用途炉１０に燻煙材料Ｄを投入し燻煙Ｅを生成する。そして、連通部５１の開閉手段５２を開状態として、燻煙Ｅを連通部５１を通して燻製室４０に導く。
【００２９】
なお、この燻製工程は単独でも行うことができ、また、上述したように農業用ハウスＨに燃焼ガスＧと温水Ｗを供給する工程と共に行うことも可能である。後者の場合、例えば、気体ポンプ２４の回転数やダンパー２５の開度を調整して、十分な量の燻煙Ｇが燻製室４０に供給されるように調整することが好ましい。
【００３０】
燻製室４０に導かれた燻煙Eは、上昇しながら燻製容器４１の内部を通過した後、排気筒４３を通過して外部に排出される。これにより、燻製容器４１内の燻製製品Ｆが燻煙Eによって良好に燻製処理される。
【００３１】
なお、ダンパー２５と開閉弁５２をいずれも全開とし、切替弁１５を全開とすれば、多用途炉１０でごみの焼却をすることができる。この場合液体ポンプ３２を作動させれば、温水供給装置３０に温水を供給することが出来る。
【００３２】
本実施形態に係る温水燃焼ガス燻煙供給設備１は、以下の効果を発揮する。
（イ）廃材Ｃまたは廃材Ｃと害虫駆除成分及び必要に応じ更にハーブ等の芳香成分を含む殺虫材料Ｐを燃焼させて、燃焼ガスＧおよび温水Ｗを生成するので燃料費が廉価である。
（ロ）燃焼ガス供給装置２０によって、農業用ハウスＨの全体に燃焼ガスを供給するので害虫を効率的に駆除することができる。
（ハ）温水供給装置３０によって、農業用ハウスＨの全体に温水Ｗを循環させるので、当該ハウスＨの温度を農産物を栽培するのに適した温度に効率的に上昇させることができる。
（ニ）燻煙材料Ｄを使用し、燻製製品Ｆを製造することができるので、きわめて実用性に優れる。
（ホ）多用途炉１０、燃焼ガス供給装置２０、温水供給装置３０、燻製室４０および燻煙供給装置５０の構成は比較的簡易であるため容易に製造することができ、かつ製造コストを抑えることが可能である。
【符号の説明】
【００３３】
１        温水燃焼ガス燻煙供給設備
１０      多用途炉
１１      燃焼室
１２      ロストル
１３      水槽
１４      煙突
１５      切換弁
２０      燃焼ガス供給装置
２１      送気管
２２      吹出孔
２３      調節弁
２４      気体ポンプ
２５      ダンパー
２６      排気管
２７      吸込孔
２８      調整弁
２９      排気ファン
３０      温水供給装置
３１      送湯管
３２      液体ポンプ
４０      燻製室
４１      燻製容器
４２      吊下げ棒
４３      排気筒
５０      燻煙供給装置
５１      連通部
５２      開閉手段
Ｃ        廃材
Ｄ        燻煙材料
Ｅ        燻煙
Ｆ        燻製製品
Ｇ        燃焼ガス
Ｈ        農業用ハウス
Ｐ        殺虫材料
Ｗ        温水
【図１】
2015146821.tif 000003